(57)【要約】  上りリンクを占める参照信号量を減少させつつ、周波数スケジューリングによるマルチユーザダイバーシチ利得を効率的に得ることができる無線通信基地局装置。この装置において、グルーピング部（１０９）は、複数のＲＢ（Resource Block）を複数のＲＢグループに分け、ＲＢグループ制御部（１０８）は、複数のＲＢと複数のＲＢグループとの対応関係を時間の経過とともに変化させる制御を行う。ＲＢグループ制御部（１０８）は、グルーピング部（１０９）で複数のＲＢを複数のＲＢグループに分ける際に、これら複数のＲＢグループの各々に含まれるＲＢの組み合わせを時間の経過とともに変化させる制御を行う。スケジューリング部（１１０）は、参照信号の受信品質に基づいて、複数の移動局の各々を複数のＲＢの各々に割り当てるスケジューリングを各ＲＢグループ内において行う。
2007119591.tif 000002
【特許請求の範囲】
【請求項１】
複数のリソースブロックを複数のグループに分けるグルーピング手段と、
複数の無線通信移動局装置から送信された参照信号の受信品質に基づいて、前記複数の無線通信移動局装置の各々を前記複数のリソースブロックの各々に割り当てるスケジューリングを各グループ内において行うスケジューリング手段と、
前記複数のリソースブロックと前記複数のグループとの対応関係を時間の経過とともに変化させる制御手段と、
スケジューリング結果の通知を前記複数の無線通信移動局装置へ送信する送信手段と、  を具備する無線通信基地局装置。
【請求項２】
前記制御手段は、前記対応関係を周期的に変化させる、
請求項１記載の無線通信基地局装置。
【請求項３】
前記送信手段は、前記対応関係の通知を前記複数の無線通信移動局装置へ送信する、
請求項１記載の無線通信基地局装置。
【請求項４】
前記制御手段は、前記複数のグループの各々に含まれるリソースブロックの数を時間の経過とともに変化させる、
請求項１記載の無線通信基地局装置。
【請求項５】
前記制御手段は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに基づいて前記リソースブロックの数を変化させる、
請求項４記載の無線通信基地局装置。
【請求項６】
前記対応関係と、この対応関係の時間の経過に伴う変化の順序とを示すテーブルを記憶する記憶手段、をさらに備え、
前記制御手段は、前記テーブルに基づいて、前記対応関係を時間の経過とともに変化させる、
請求項１記載の無線通信基地局装置。
【請求項７】
前記テーブルにおける前記対応関係は、隣り合うリソースブロックが連続して同一のグループにならないように変化する、
請求項６記載の無線通信基地局装置。
【請求項８】
前記記憶手段は、前記変化の順序が互いに異なる複数の前記テーブルを記憶し、
前記制御手段は、複数の前記テーブルにおいて使用するテーブルを切り替え、
前記送信手段は、テーブルの切り替えの通知を前記複数の無線通信移動局装置に送信する、
請求項６記載の無線通信基地局装置。
【請求項９】
前記制御手段は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに基づいて前記切り替えを行う、
請求項８記載の無線通信基地局装置。
【請求項１０】
前記スケジューリング手段は、前記複数のグループの各々において、前記参照信号のＳＩＮＲの加算結果が最大となるスケジューリングを行う、
請求項１記載の無線通信基地局装置。
【請求項１１】
前記スケジューリング手段は、前記無線通信移動局装置に設定された優先度に従った重み付けを前記ＳＩＮＲに施す、
請求項１０記載の無線通信基地局装置。
【請求項１２】
前記優先度は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに応じて設定される、
請求項１１記載の無線通信基地局装置。
【請求項１３】
前記スケジューリング手段は、基準となるリソースブロック帯域よりも狭いリソースブロック帯域を使用する複数の無線通信移動局装置を１つにまとめ、リソースブロック帯域幅を揃えてスケジューリングを行う、
請求項１記載の無線通信基地局装置。
【請求項１４】
前記送信手段は、各グループの配列番号を前記スケジューリング結果の通知として送信する、
請求項１記載の無線通信基地局装置。
【請求項１５】
請求項１記載の無線通信基地局装置から前記スケジューリング結果の通知を受信する受信手段と、
前記複数のグループのうち自局が属するグループのリソースブロックを用いて前記参照信号を前記無線通信基地局装置へ送信し、前記スケジューリング結果に従ったリソースブロックを用いてデータを前記無線通信基地局装置へ送信する送信手段と、
を具備する無線通信移動局装置。
【請求項１６】
前記受信手段は、前記複数のリソースブロックと前記複数のグループとの対応関係の通知を受信し、
この通知に基づいて自局が属するグループに含まれるリソースブロックを特定する特定手段、をさらに具備し、
前記送信手段は、特定されたリソースブロックを用いて前記参照信号を送信する、
請求項１５記載の無線通信移動局装置。
【請求項１７】
前記複数のリソースブロックと前記複数のグループとの対応関係と、この対応関係の時間の経過に伴う変化の順序とを示すテーブルを記憶する記憶手段、をさらに備え、
前記特定手段は、前記テーブルに基づいて自局が属するグループのリソースブロックを特定する、
請求項１５記載の無線通信移動局装置。
【請求項１８】
前記記憶手段は、前記変化の順序が互いに異なる複数の前記テーブルを記憶し、
前記受信手段は、前記無線通信移動局装置より送信される前記テーブルの切り替えの通知を受信し、
この切り替えの通知に基づいて複数の前記テーブルにおいて使用するテーブルを切り替える制御手段、をさらに具備する、
請求項１７記載の無線通信移動局装置。
【請求項１９】
自局の移動速度を検出する検出手段と、
前記移動速度に基づいて参照信号送信またはデータ送信のいずれを行うかを決定する決定手段と、をさらに具備する、
請求項１５記載の無線通信移動局装置。
【請求項２０】
前記参照信号は、ＦＤＭ配置又はマルチキャリア配置される、
請求項１５記載の無線通信移動局装置。
【発明の詳細な説明】
【技術分野】
【０００１】
本発明は、参照信号を送信する無線通信移動局装置（以下、移動局と省略する）および、参照信号の受信品質に基づいてスケジューリングを行う無線通信基地局装置（以下、基地局と省略する）に関する。
【背景技術】
【０００２】
複数の周波数キャリアを用いて伝送を行うマルチキャリア伝送システムでは、スループットを向上させるために、マルチパスフェージングチャネルにおける周波数選択性を考慮した周波数スケジューリングが行われる。【０００３】
上りリンクで周波数スケジューリングを効率的に行うには、基地局が全移動局での全リソースブロック（以下、ＲＢ（Resource Block）と省略する）の受信品質を知る必要があり、このため、全移動局は全ＲＢで参照信号を送信する必要がある。ここで、参照信号とは、基地局−移動局間で予め設定された既知信号あるいはそれに準ずる信号を指す。また、参照信号はパイロット信号とも呼ばれる。【０００４】
図１に従来のスケジューリング方法を示す。基地局では、各移動局Ａ,Ｂから送信された参照信号を用いてＲＢ毎の受信品質を測定し、この受信品質に基づいて各移動局Ａ,Ｂにデータ送信用のＲＢを割り当てる（例えば、非特許文献１参照）。
【非特許文献１】大藤  義顕、森本  彰人、樋口  健一、佐和橋  衛、“上りリンク無線アクセスにおける周波数選択性を考慮したパケットスケジューリング法の検討”（Yoshiaki Ofuji, AkihitoMorimoto, Kenichi Higuchi, Mamoru Sawahashi, “Investigations on Packet Scheduling Exploiting Frequency Selectivity in Uplink Radio Access”）、2005年電子情報通信学会通信ソサイエティ大会B-5-51、 pp451、 2005年3月
【発明の開示】
【発明が解決しようとする課題】
【０００５】
しかしながら、上記従来のスケジューリング方法では、全移動局が全ＲＢでサブフレーム毎に参照信号を送信する必要があるため、移動局数の増加に伴って上りリンクを占める参照信号量が増加する。その結果、データ送信領域が減少し、スループットが減少してしまう（図２参照）。【０００６】
本発明の目的は、上りリンクを占める参照信号量を減少させつつ、周波数スケジューリングによるマルチユーザダイバーシチ利得を効率的に得ることができる基地局および移動局を提供することである。
【課題を解決するための手段】
【０００７】
本発明の基地局は、複数のＲＢを複数のグループに分けるグルーピング手段と、複数の移動局から送信された参照信号の受信品質に基づいて、前記複数の移動局の各々を前記複数のＲＢの各々に割り当てるスケジューリングを各グループ内において行うスケジューリング手段と、前記複数のＲＢと前記複数のグループとの対応関係を時間の経過とともに変化させる制御手段と、スケジューリング結果の通知を前記複数の移動局へ送信する送信手段と、を具備する構成を採る。【０００８】
本発明の移動局は、前記基地局から前記スケジュール結果の通知を受信する受信手段と、前記複数のグループのうち自局が属するグループのＲＢを用いて前記参照信号を前記基地局へ送信し、前記スケジューリング結果に従ったＲＢを用いてデータを前記基地局へ送信する送信手段と、を具備する構成を採る。
【発明の効果】
【０００９】
本発明によれば、基地局は、複数のＲＢをグルーピングし、各々のグループ毎に、各々の移動局にＲＢを割り当てるスケジューリングを行うため、グルーピングを行わない場合に比べ、参照信号量を減少させることができる。また、各グループで閉じたＲＢの割り当てが行われるため、あるグループでのスケジューリング結果が他のグループでのスケジューリング結果に影響を及ぼすことがなく、各々の移動局は、参照信号を送信したＲＢのいずれかに確実に割り当てられることができる。そして、複数のＲＢと複数のグループとの対応関係を時間の経過に伴って変化させることで、各々の移動局が参照できるＲＢが変化していくため、マルチユーザダイバーシチ利得を効率的に得ることができる。また、各々の移動局は、参照信号の送信を自局が属するグループに含まれるＲＢに限定することにより、各サブフレームで送信する参照信号量を減少させることができる。
【図面の簡単な説明】
【００１０】
【図１】従来のスケジューリング方法
【図２】従来のスケジューリング法における移動局数と参照信号量との関係
【図３】実施の形態１に係る基地局の構成を示すブロック図
【図４】実施の形態１に係るＲＢグループ情報の具体例
【図５】実施の形態１に係る移動局の構成を示すブロック図
【図６】実施の形態１に係る動作シーケンス
【図７】実施の形態１に係る通信システムの動作図
【図８】実施の形態１に係るＲＢ割当情報の説明図
【図９】実施の形態２に係る基地局の構成を示すブロック図
【図１０】実施の形態２に係る通信システムの動作図
【図１１】実施の形態３に係る基地局の構成を示すブロック図
【図１２】実施の形態３に係るテーブル例
【図１３】実施の形態３に係る別のテーブル例
【図１４】実施の形態４に係る基地局の構成を示すブロック図
【図１５】実施の形態５に係る移動局の構成を示すブロック図
【図１６】実施の形態５に係る通信システムの動作図
【図１７】実施の形態６に係る通信システムの動作図
【発明を実施するための最良の形態】
【００１１】
以下、本発明の実施の形態を、図面を参照にして詳細に説明する。以下の実施の形態では、上りリンクに用いられる帯域は複数のＲＢに分けられており、移動局は、１つ若しくは複数のＲＢを用いて基地局と通信を行う。【００１２】
（実施の形態１）
図３は、本実施の形態に係る基地局１００の構成を示すブロック図である。【００１３】
受信ＲＦ部１０１は、アンテナ１１５を介して受信した信号に対して、ダウンコンバート、Ａ／Ｄ変換などの所定の無線受信処理を行い、ＣＰ除去部１０２に出力する。【００１４】
ＣＰ除去部１０２は、同期タイミングに基づいて、受信ＲＦ部１０１から出力された信号からＣＰ（Cyclic Prefix）部分を除去し、分離部１０３に出力する。【００１５】
分離部１０３は、ＣＰ除去部１０２から出力された信号を参照信号とデータ・制御信号とに分離し、参照信号を受信品質測定部１０７へ、データ・制御信号を周波数領域等化部１０４へそれぞれ出力する。【００１６】
周波数領域等化部１０４は、分離部１０３から出力された信号の歪みを、１ブロック長単位で、周波数軸上で等化することにより歪みを補正し、補正した信号を復調部１０５に出力する。【００１７】
復調部１０５は、データ・制御信号の信号点判定を行い、判定後の信号を復号部１０６に出力する。【００１８】
復号部１０６は、誤り訂正処理を行って受信データを得る。【００１９】
受信品質測定部１０７は、分離部１０３から出力された参照信号を用いて移動局毎に各ＲＢの受信品質を測定し、測定結果をスケジューリング部１１０に通知する。【００２０】
グルーピング部１０９は、複数のＲＢを複数のＲＢグループに分ける。このグルーピング処理により、複数のＲＢグループと、そのＲＢグループに含まれるＲＢが決定される。以降、ＲＢとＲＢグループとの対応関係を示す情報をＲＢグループ情報と呼ぶ。ＲＢグループ情報は、スケジューリング部１１０及び符号化部１１１に出力される。【００２１】
ＲＢグループ情報の具体例を図４に示す。この例では、９個のＲＢ（ＲＢ１〜ＲＢ９）が、グループα、グループβ、グループγの３つのＲＢグループに分けられ、ＲＢ１〜ＲＢ３がグループαに、ＲＢ４〜ＲＢ６がグループβに、ＲＢ７〜ＲＢ９がグループγに属している。【００２２】
ＲＢグループ制御部１０８は、複数のＲＢと複数のＲＢグループとの対応関係を時間の経過とともに変化させる制御を行う。具体的には、ＲＢグループ制御部１０８は、グルーピング部１０９で複数のＲＢを複数のＲＢグループに分ける際に、これら複数のＲＢグループの各々に含まれるＲＢの組み合わせを時間の経過とともに変化させる制御を行う。この制御により、各々のＲＢグループに含まれるＲＢが固定されることなく、時間の経過とともに組み替えられる。【００２３】
スケジューリング部１１０は、受信品質測定部１０７から通知される受信品質に基づいて、複数の移動局の各々を複数のＲＢの各々に割り当てるスケジューリングを各ＲＢグループ内において行う。受信品質測定部１０７に入力される各移動局からの参照信号は、通知されたＲＢグループ情報に基づいてＲＢを限定して送信されているため、スケジューリング部１１０は、このＲＢグループ情報に従って、各ＲＢグループに含まれるＲＢを特定し、各々のＲＢグループで独立にスケジューリングを行い、各移動局にデータ送信用のＲＢを割り当てる。以降、複数の移動局とこれら複数の移動局に各々割り当てられたＲＢとの対応関係を示す情報をＲＢ割当情報と呼ぶ。ＲＢ割当情報は、符号化部１１１へ出力される。【００２４】
符号化部１１１は、入力される送信データ、制御信号、ＲＢグループ情報およびＲＢ割当情報に対して誤り訂正符号化処理を行う。【００２５】
変調部１１２は、入力されるデータ列を、ＰＳＫ変調、ＱＡＭ変調等の変調方式で変調する。【００２６】
ＣＰ付加部１１３は、変調部１１２から出力されたデータ列の後端から所定の一部をコピーすることによりＣＰを生成し、生成したＣＰをブロック先頭に付加する。【００２７】
送信ＲＦ部１１４は、ＣＰ付加部１１３から出力された信号にＤ／Ａ変換、アップコンバート等の所定の無線送信処理を行い、アンテナ１１５を介して送信する。【００２８】
このように、基地局１００は、複数のＲＢを複数のＲＢグループに分け、複数の移動局から送信された参照信号の受信品質に基づいて、複数の移動局の各々を複数のＲＢの各々に割り当てるスケジューリングを各ＲＢグループ内において行い、スケジューリング結果の通知を複数の移動局へ送信する。そして、基地局１００は、複数のＲＢと複数のＲＢグループとの対応関係を時間の経過とともに変化させる。【００２９】
これにより、それぞれのＲＢグループに限定してスケジューリングが行われるため、各移動局は、自局が属するＲＢグループに含まれるＲＢでのみ参照信号を送信すればよく、よって、上りリンクに占める参照信号数を削減できる。また、スケジューリングがＲＢグループ毎に独立して行われるため、あるＲＢグループでのスケジューリング結果が他のＲＢグループのスケジューリング結果に影響を及ぼすことがなく、各移動局は、参照信号を送信したＲＢのいずれかに確実に割り当てられることができ、よって、すべての移動局は安定した通信を確立できる。そして、複数のＲＢと複数のＲＢグループとの対応関係を時間の経過とともに変化させることにより、各々のＲＢグループに含まれるＲＢが変化していくため、各移動局が割り当てられ得るＲＢが時間の経過とともに変化していく。従って、効率良くマルチユーザダイバーシチ利得を得ることができる。【００３０】
図５は、本実施の形態に係る移動局２００の構成を示すブロック図である。【００３１】
受信ＲＦ部２０１は、アンテナ２１４を介して受信した信号に対して、ダウンコンバート、Ａ／Ｄ変換などの所定の無線受信処理を行い、ＣＰ除去部２０２に出力する。【００３２】
ＣＰ除去部２０２は、同期タイミングに基づいて、受信ＲＦ部２０１から出力された信号からＣＰ部分を除去し、周波数領域等化部２０３に出力する。【００３３】
周波数領域等化部２０３は、ＣＰ除去部２０２から出力された信号の歪みを、１ブロック長単位で、周波数軸上で等化することにより歪みを補正し、補正した信号を復調部２０４に出力する。【００３４】
復調部２０４は、データ・制御信号の信号点判定を行い、判定後の信号を復号部２０５に出力する。【００３５】
復号部２０５は、誤り訂正処理を行って受信データ、制御信号、ＲＢグループ情報、ＲＢ割当情報等を得る。【００３６】
参照信号配置部２０６は、通知されたＲＢグループ情報に基づいて、自局が属するＲＢグループのＲＢに参照信号を配置する。【００３７】
なお、参照信号配置部２０６は、どのＲＢグループが自局が属するＲＢグループかを判断するにあたり、例えば、現在データが送信されているＲＢを含むＲＢグループを自局が属するＲＢグループであるとしてもよい。このようにして自局が属するＲＢグループを特定することで、参照信号は、現在データが送信されているＲＢを含む複数のＲＢで送信されることになる。従って、基地局は、現在のＲＢの受信品質とその他のＲＢの受信品質とを参照した上で、ＲＢグループ毎にスケジューリング行うため、すべてのＲＢグループにおいて現状以上のスループットを得ることができる。なお、ＲＢグループに含まれるＲＢに各移動局がどのような順序で参照信号を配置するかは予め設定されている。【００３８】
ＣＰ付加部２０７は、参照信号配置部２０６から出力された参照信号の後端から所定の一部をコピーすることによりＣＰを生成し、生成したＣＰをブロック先頭に付加する。【００３９】
ＲＢ特定部２０８は、データ送信用ＲＢを特定する。具体的には、ＲＢ特定部２０８は、ＲＢグループ情報とＲＢ割当情報との組み合わせに基づいて、送信データ及び制御信号等を配置するＲＢを特定する。なお、このとき用いるＲＢグループ情報は、ＲＢ割当情報を生成するスケジューリングが行われたときに用いられたＲＢグループ情報である。【００４０】
符号化部２０９は、入力される送信データ及び制御信号等を、ＲＢ特定部２０８で特定されたＲＢに配置し、誤り訂正符号化処理を行う。【００４１】
変調部２１０は、符号化部２０９から出力される送信データ列を、ＰＳＫ変調、ＱＡＭ変調等の変調方式で変調する。【００４２】
ＣＰ付加部２１１は、変調部２１０から出力された信号の後端から所定の一部をコピーすることによりＣＰを生成し、生成したＣＰをブロック先頭に付加する。【００４３】
多重化部２１２は、ＣＰ付加部２０７から出力された参照信号とＣＰ付加部２１１から出力されたデータ信号とを時間多重化した後、送信ＲＦ部２１３に出力する。【００４４】
送信ＲＦ部２１３は、多重化部２１２から出力された信号にＤ／Ａ変換、アップコンバート等の所定の無線送信処理を行い、アンテナ２１４を介して送信する。【００４５】
このように、移動局２００は、基地局からスケジュール結果の通知と、複数のＲＢと複数のＲＢグループとの対応関係の通知とを受信し、複数のＲＢグループのうち自局が属するＲＢグループのＲＢを用いて参照信号を基地局１００へ送信し、スケジューリング結果に従ったＲＢを用いてデータを基地局１００へ送信する。【００４６】
以上のようにして参照信号送信用のＲＢを限定することで、参照信号量を減少することができる。また、ＲＢグループ情報を周期的（例えば、１つまたは複数のサブフレーム毎）に変化させることにより、移動局からの参照信号を周期的に異なるＲＢで送信することができ、効率的にマルチユーザダイバーシチ利得を得ることができる。【００４７】
次に、本実施形態の動作シーケンスを図６に示す。【００４８】
基地局１００は、ＳＴ１１で、最初のＲＢグループを設定し、このＲＢグループ情報を移動局２００に通知する。【００４９】
移動局２００は、ＳＴ１２で、ＲＢグループ情報に示された自局が属するＲＢグループ内のＲＢで参照信号を送信する。【００５０】
基地局１００は、ＳＴ１３で、各移動局より送信された参照信号の受信品質を測定し、上りリンクデータ送信用のＲＢを割り当て、このＲＢ割当情報を移動局２００に通知する。また、基地局１００は、ＳＴ１４で、ＲＢグループを組み替えて再設定し、新たなＲＢグループ情報を移動局２００に通知する。【００５１】
移動局２００は、ＳＴ１５で、ＲＢ割当情報に基づいてデータを送信する。また、移動局２００は、ＳＴ１６で、ＲＢグループ情報に基づいて参照信号を送信する。【００５２】
ＳＴ１７での処理はＳＴ１３での処理と同一となり、ＳＴ１８での処理はＳＴ１４での処理と同一となる。【００５３】
このようにして、本実施の形態では、ＲＢとＲＢグループとの対応関係を周期的に変化させる。【００５４】
次に、本実施の形態に係る通信システムの動作を図７を用いて説明する。【００５５】
本実施の形態では、上記のように、参照信号送信用のＲＢを基地局から通知されたＲＢグループ内に限定し、このＲＢグループを構成するＲＢの組み合わせを周期的に変化させる。以下の説明では、ＲＢ数を４、移動局数を４、ＲＢグループ数を２とし、各移動局は４つのＲＢのうち２つのＲＢで参照信号を送信するものとする。図７において、サブフレーム１では、ＲＢ１とＲＢ２とが第１のＲＢグループを構成し、ＲＢ３とＲＢ４とが第２のＲＢグループを構成する。時刻ＴｎおよびＴｎ＋１において、各移動局は、ＲＢグループ内に含まれるＲＢに限定して参照信号を送信する。つまり、移動局Ａおよび移動局ＢはＲＢ１とＲＢ２に限定して参照信号を送信し、移動局Ｃおよび移動局ＤはＲＢ３とＲＢ４に限定して参照信号を送信する。【００５６】
なお、図７ではＲＢグループ内のＲＢ数が２つであるため、１つのサブフレームにおいて２つの時刻Ｔｎ,Ｔｎ＋１で参照信号を送信するようにしたが、参照信号の送信時刻は２つの時刻に限定されない。【００５７】
次に、基地局は、移動局より送信される参照信号を用いて測定したＲＢグループ毎の受信品質を比較し、各移動局に割り当てるデータ送信用ＲＢを決定する。データ送信用ＲＢは、各移動局が含まれるＲＢグループ内のいずれかのＲＢに決定される。例えば、図７において、サブフレーム１ではＲＢ１とＲＢ２とが１つのＲＢグループであるため、移動局Ａおよび移動局Ｂについては、ＲＢ１かＲＢ２にデータ送信用ＲＢが割り当てられる。【００５８】
ここで、受信品質の比較としてＲＢグループ毎の合計ＳＩＮＲの比較を用い、合計ＳＩＮＲが大きいＲＢ配置を選択する方法などを用いることができる。図７のサブフレーム１において、時刻Ｔｎの受信品質１（ＲＢ１の移動局ＡにおけるＳＩＮＲとＲＢ２の移動局ＢにおけるＳＩＮＲとを加算した合計ＳＩＮＲ値）と、時刻Ｔｎ＋１の受信品質２（ＲＢ１の移動局ＢにおけるＳＩＮＲとＲＢ２の移動局ＡにおけるＳＩＮＲとを加算した合計ＳＩＮＲ値）を比較して、合計ＳＩＮＲ値がより大きい移動局の配置をサブフレーム２のデータ送信用ＲＢの配置とする。受信品質１よりも受信品質２の方が高ければ、サブフレーム２のデータ送信用ＲＢの配置は受信品質２の配置、つまり、ＲＢ１に移動局Ｂ、ＲＢ２に移動局Ａとなる。ＲＢ３とＲＢ４のＲＢグループに関しても同様に比較を行い、移動局のデータ送信用ＲＢの配置を決定する。このように、本実施の形態では、複数のＲＢグループの各々において、複数の移動局の参照信号のＳＩＮＲの加算結果が最大となるようにスケジューリングする。【００５９】
なお、各移動局に優先度を設定し、優先度に従った重み付けをＳＩＮＲに施してもよい。また、ＲＢグループ毎に優先度がより高い移動局から順にＲＢを割り当ててもよい。また、各移動局の送信データのＱｏＳ（Quality of Service）、各移動局の移動速度、基地局から各移動局までの距離、通信システム内に存在する移動局の数、各移動局のＣＱＩ（Channel Quality Indicator）、または、平均ＣＱＩなどに応じた優先度を各移動局に設定してもよい。このように優先度を考慮に入れながらスケジューリングを行うことで、より柔軟で適切なＲＢの割り当てを行うことができる。【００６０】
次に、基地局はスケジュール結果としてデータ送信用ＲＢを示すＲＢ割当情報を各移動局へ通知する。各移動局は、ＲＢ割当情報に基づいてデータ送信用ＲＢを特定する。そして、各移動局は、このデータ送信用ＲＢにデータを割り当てて送信する。なお、ＲＢ割当情報は１サブフレーム前に参照信号が送信されたＲＢグループ毎に生成されているので、移動局は、１サブフレーム前のＲＢグループ情報を利用してデータ送信用ＲＢを把握することができる。【００６１】
これら一連の動作を、周期的（例えば、１つまたは複数のサブフレーム毎）に、ＲＢグループを構成するＲＢの組合せを変更しながら繰り返す。すなわち、図７において、サブフレーム１ではＲＢ１とＲＢ２とが第１のＲＢグループであり、ＲＢ３とＲＢ４とが第２のＲＢグループであるのに対し、サブフレーム２ではＲＢ１とＲＢ３とが第１のＲＢグループであり、ＲＢ２とＲＢ４とが第２のＲＢグループである。このように、本実施の形態では、各ＲＢグループを構成するＲＢの組合せを組み替えながら上記動作を繰り返す。【００６２】
以上のようにして、参照信号の送信をＲＢグループ内に限定することで各サブフレームの参照信号量を減少させつつ、各ＲＢグループを構成するＲＢの組合せを周期的に組みかえることで効果的にマルチユーザダイバーシチ利得を得ることができる。なお、周期的にＲＢグループ情報を再設定して上記処理を繰り返すことにより、時間の経過とともに送信データ用ＲＢの配置の更新がなされるため、時間変動にも対応して追従することができる。【００６３】
図８は、ＲＢ割当情報の説明図である。ＲＢ割当情報は、基地局において、ＲＢグループ情報を用いてＲＢグループ毎に生成される。【００６４】
基地局は、ＲＢグループ内での移動局配置の並び順を配列番号として決定しておき、ＲＢ割当情報として、ＲＢグループ毎に選択した配列番号を通知する。例えば、図８に示すように、ＲＢ１とＲＢ２とが第１のＲＢグループであり、ＲＢ３とＲＢ４とが第２のＲＢグループであるとき、基地局は、ＲＢ割当情報として、第１のＲＢグループでは配列番号（１）（移動局１をＲＢ１、移動局２をＲＢ２に配置）または配列番号（２）（移動局２をＲＢ１、移動局１をＲＢ２に配置）を通知し、第２のＲＢグループでは配列番号（３）（移動局３をＲＢ３、移動局４をＲＢ４に配置）または配列番号（４）（移動局４をＲＢ３、移動局３をＲＢ４に配置）を通知すればよい。【００６５】
このように、基地局は移動局毎ではなくＲＢグループ毎にＲＢ割当情報を通知すればよいため、ＲＢ割当情報の情報量を減少できる。なお、ＲＢ割当情報は、全ＲＢを示す情報ではなく、ＲＢグループ内での移動局配置の並び順を示す情報のみが要求される。なお、図８のように送信データ用ＲＢの割当てを参照信号送信用ＲＢの配列順と等しくすることで、通知情報量を減少することができる。【００６６】
（実施の形態２）
複数のＲＢを複数のＲＢグループに分ける際、１つのＲＢグループに含まれるＲＢ数が少ないほど、各移動局が参照信号を送信するＲＢが少なくて済むため、上りリンクにおける参照信号数を減らすことができる。一方、１つのＲＢグループに含まれるＲＢ数が少ないほど、各移動局が各サブフレームで使用できるＲＢが少なくなるため、マルチユーザダイバーシチ利得を効率良く得ることができないことがある。このように、必要となる参照信号数と、マルチユーザダイバーシチ利得の効率とはトレードオフの関係にある。【００６７】
一般的に、移動局の移動速度や位置、送信データのＱｏＳ、通信システム内に存在する移動局数等は時間により異なるため、１つのＲＢグループに含まれるＲＢ数を状況に応じて適応的に変更することが望ましい。【００６８】
そこで、本実施の形態では、各ＲＢグループに含まれるＲＢ数を時間の経過にともなって変更する。【００６９】
図９は、本実施の形態に係る基地局３００の構成を示すブロック図である。以下の説明では、実施の形態１と異なる点についてのみ説明する。【００７０】
分離部１０３は、ＣＰ除去部１０２から出力された信号を参照信号とデータ・制御信号とに分離し、参照信号を受信品質測定部１０７へ、データ・制御信号を周波数領域等化部１０４へそれぞれ出力する。また、サブフレームによって各ＲＢグループに含まれるＲＢ数が異なるため、受信信号から参照信号を正しく分離するために、分離部１０３にＲＢグループ情報が入力される。分離部１０３は、ＲＢグループ情報を基に、受信信号の中から参照信号を特定し分離する。【００７１】
ＲＢグループ制御部１０８は、複数のＲＢと複数のＲＢグループとの対応関係を時間の経過とともに変化させる制御を行う。このとき、ＲＢグループ制御部１０８には、送信データのＱｏＳを示すＱｏＳ情報、各移動局の移動速度を示す移動速度情報、基地局から各移動局までの距離を示す距離情報、および、通信システム内に現在存在している移動局の数を示す移動局数情報等が入力され、ＲＢグループ制御部１０８は、これらの情報に基づいてＲＢグループの各々に含まれるＲＢ数を変更する制御を行う。【００７２】
例えば、近年、移動体通信システムで提供されるサービスは、通常の通話に加えて、電子メール、テレビ電話、動画配信等と多岐に渡っており、それぞれのサービスにおいて求められる通信品質が異なっている。中でも、通話やテレビ電話といったリアルタイム性が要求されるサービスにおいては、通信の遅延や停止が許されないため、送信データのＱｏＳを考慮に入れた周波数スケジューリングが行われることが望ましい。そこで、ＲＢグループ制御部１０８にＱｏＳ情報を入力し、ＲＢグループ制御部１０８は、要求されるＱｏＳを満たすように１つのＲＢグループに含まれるＲＢ数を変更する。【００７３】
また、移動速度情報に基づいて変更することも効果的である。例えば、通信システム内に存在する移動局の多くが低速で移動している若しくは移動していない場合には、数サブフレーム間は受信品質の変動がほとんど無いと考えられるため、初めに１つのＲＢグループに含まれるＲＢ数を比較的多く設定しておき、ある程度ＲＢの割り当てが安定した後に、参照信号数を減らすために、１つのＲＢグループに含まれるＲＢ数を減らすことが望ましい。そこで、移動局に自局の移動速度を検出する移動速度検出部を備えておき、移動局は、検出した移動速度情報を基地局３００に通知する。ＲＢグループ制御部１０８は、復号部１０６において復号された移動速度情報に基づいて１つのＲＢグループに含まれるＲＢ数を変更する。【００７４】
また、基地局から各移動局までの距離に基づいて変更することも効果的である。例えば、基地局に近い距離に多くの移動局が存在する場合には、そのような移動局では受信電力の変動幅が大きいため、マルチユーザダイバーシチ利得を効率良く得ることに重点を置いた方が通信を安定させる上で好ましい。そこで、受信品質測定部１０７で測定される受信品質を基に受信品質測定部１０７が基地局から各移動局までの距離を推定し、ＲＢグループ制御部１０８は、距離情報に基づいて１つのＲＢグループに含まれるＲＢ数を変更する。【００７５】
また、基地局が通信を行っている移動局数、すなわち、通信システム内に現在存在している移動局数に基づいて変更することも効果的である。例えば、通信システム内の移動局数が少なければ、多くのＲＢで参照信号を送信しても大きなスループット低下に繋がらないため、１つのＲＢグループに含まれるＲＢ数を多く設定してもよい。【００７６】
図１０に本実施の形態に係る通信システムの動作図を示す。サブフレーム１,２では６つのＲＢ（ＲＢ１〜６）が３つのＲＢグループ（グループα,β,γ）に分けられており、サブフレーム３では、６つのＲＢ（ＲＢ１〜６）が２つのＲＢグループ（グループα,β）に分けられている。基地局は、サブフレーム３以前のどこかで、上記の情報を用いて１つのＲＢグループに含まれるＲＢ数の切り替えを判断し、ＲＢ数を変更してグルーピングを行う。サブフレーム１,２では、各ＲＢグループ内のＲＢ数が２つであるため、各サブフレームにおいて２つのＲＢの受信品質しか得られないが、サブフレーム３では各ＲＢグループ内のＲＢ数が３つであるため、３つのＲＢの受信品質が得られる。例えば、より早く良好なＲＢ配置に収束させたいのであれば、ＲＢグループ内のＲＢ数を増加させる。また、参照信号量を減少させたいのであれば、ＲＢグループ内のＲＢ数を減少させる。これらを基地局の判断によって行う。なお、初期の段階では全ＲＢで参照信号を送信して良好なＲＢ配置を行い、その後にＲＢグループ内のＲＢ数を減少させて参照信号量を減少することも効果的である。【００７７】
以上のように、１つのＲＢグループに含まれるＲＢ数を状況に応じて適応的に変更することで、参照信号数とマルチユーザダイバーシチ利得のバランスをとることができ、安定した通信を確立することができる。【００７８】
なお、ＲＢグループ制御部１０８によるＲＢ数の変更は、ＱｏＳ情報、移動速度情報、距離情報および移動局数情報のいずれか一つに基づいて行われてもよいし、これらを組み合わせて行われてもよい。【００７９】
また、ＲＢグループ制御部１０８によるＲＢ数の変更は、その他の情報に基づいて行うことも可能である。例えば、各移動局のＣＱＩまたは平均ＣＱＩに基づいてＲＢ数の変更を行うことも可能である。【００８０】
また、これらの情報を基に各移動局に優先度を設定し、スケジューリング部１１０が優先度に従ったスケジューリングを行うことを組み合わせると、より安定した通信を確立することができる。【００８１】
また、すべてのＲＢを１つのＲＢグループとするケースや、１つのＲＢを１つのＲＢグループとするケースを織り交ぜて適応的に変更することにより、より柔軟な通信システムを構築することができる。例えば、ある時刻において、すべての移動局の送信データのＱｏＳが基準値よりも高い場合は、すべてのＲＢを１つのＲＢグループとし、全移動局が全ＲＢで参照信号を送信することも効果的である。また、例えば、基準値より高いＣＱＩを持つＲＢについては、そのＲＢ１つで１ＲＢグループとすることで参照信号量を減少させてもよい。【００８２】
また、定期的にすべてのＲＢに対するスケジューリングを行って最適なＲＢ割当てを行い、最適なＲＢ割当てが行われているサブフレームでは１つのＲＢグループに２つのＲＢを含むようグルーピングしてスケジューリングを行うことも効果的である。【００８３】
（実施の形態３）
上記基地局は、複数のＲＢを複数のＲＢグループに分け、ＲＢとＲＢグループとの対応関係を時間の経過とともに変更する。一方、各移動局は現在の各ＲＢグループに含まれるＲＢを知る必要があるため、基地局は、ＲＢとＲＢグループとの対応関係を変える毎に各移動局にＲＢグループ情報を通知する必要がある。しかしながら、この通知が頻繁に行われると、下りリンクに占める情報通知量が大きくなり、下りリンクのスループットが低下するおそれがある。【００８４】
そこで、本実施の形態では、ＲＢとＲＢグループとの対応関係と、この対応関係の時間の経過に伴う変化の順序とを示すテーブルを基地局および各移動局の双方が備える。【００８５】
図１１は、本実施の形態に係る基地局４００の構成を示すブロック図である。以下の説明では、実施の形態１と異なる点についてのみ説明する。【００８６】
記憶部４０１は、ＲＢとＲＢグループとの対応関係と、この対応関係の時間の経過に伴う変化の順序とを示すテーブルを記憶する。【００８７】
ＲＢグループ制御部１０８は、記憶部４０１に記憶されたテーブルに基づいて、グルーピング部１０９に対し、複数のＲＢと複数のＲＢグループとの対応関係を時間とともに変化させる制御を行う。一方、本実施の形態に係る移動局（図示せず）にも、図５に示す構成要素に加え、基地局４００の記憶部４０１に記憶されたテーブルと同一のテーブルを記憶する記憶部が備えられ、移動局は、このテーブルに基づいて自局が属するＲＢグループのＲＢを特定し、このＲＢを用いて参照信号を基地局４００へ送信する。【００８８】
図１２に、テーブルの一例を示す。ここでは、ＲＢ数は８つ（ＲＢ１〜ＲＢ８）とする。このテーブルでは、８つのＲＢ（ＲＢ１〜ＲＢ８）は４つのＲＢグループ（グループα,β,γ,ζ）に分けられており、あるサブフレームＮでは、ＲＢ１とＲＢ２、ＲＢ３とＲＢ４、ＲＢ５とＲＢ６、ＲＢ７とＲＢ８がそれぞれ同じグループに属する。次のサブフレームＮ＋１では、ＲＢ２とＲＢ３、ＲＢ４とＲＢ５、ＲＢ６とＲＢ７、ＲＢ８とＲＢ１がそれぞれ同じグループに属する。そして、テーブルの最後まで行くと再び先頭に戻る。つまり、次のサブフレームＮ＋２では、サブフレームＮのグループ分けが採用される。【００８９】
このように、本実施の形態では、ＲＢとＲＢグループとの対応関係と、この対応関係の変化のパターンとがテーブルに設定されており、ＲＢグループ制御部４０１は、このテーブルに基づいて複数のＲＢと複数のＲＢグループとの対応関係を時間とともに変化させる制御を行う。【００９０】
図１３に別のテーブルを示す。このテーブルでは、隣り合うＲＢが連続して同一のＲＢグループに入らないように設定されている。具体的には、このテーブルでは、ＲＢ１〜ＲＢ８の各々は一巡の中で他の７つのＲＢと一回ずつ同一のＲＢグループになり、かつ、現在ペアとなっているＲＢからより離れたＲＢがより優先されて次回ペアとなるＲＢになるように設定されている。【００９１】
例えば、サブフレーム１において、ＲＢ１に配置される移動局は、全８ＲＢの１／２だけ離れたＲＢ５にも参照信号を配置する。また、ＲＢ５に配置される移動局は、全８ＲＢの１／２だけ離れたＲＢ１にも参照信号を配置する。他のＲＢに関しても同様とする。このような配置によって、全移動局の参照信号が全ＲＢの１／２だけ離れた２つのＲＢに配置されることになる。【００９２】
また、サブフレーム２において、ＲＢ１に配置される移動局は、全８ＲＢの１／４だけ離れたＲＢ３にも参照信号を配置する。また、ＲＢ３に配置される移動局は、全８ＲＢの１／４だけ離れたＲＢ１にも参照信号を配置する。他のＲＢに関しても同様とする。【００９３】
また、サブフレーム３において、ＲＢ１に配置される移動局は、サブフレーム２での配置から更に全８ＲＢの１／２だけ離れたＲＢ７にも参照信号を配置する。また、ＲＢ７に配置される移動局は、ＲＢ１にも参照信号を配置する。他のＲＢに関しても同様とする。【００９４】
また、サブフレーム４において、ＲＢ１に配置される移動局は、全８ＲＢの１／８だけ離れたＲＢ２に参照信号を配置する。また、ＲＢ２に配置される移動局は、全８ＲＢの１／８だけ離れたＲＢ１にも参照信号を配置する。他のＲＢに関しても同様とする。【００９５】
サブフレーム５〜７に関しても同様な処理であるので説明を省略する。【００９６】
このように、各移動局は、より低い周波数相関である可能性が高いＲＢから順に比較できるため、良好なＲＢをより早く選択することができる。【００９７】
以上のように、本実施の形態によれば、ＲＢとＲＢグループとの対応関係と、この対応関係の時間の経過に伴う変化の順序とを設定したテーブルを、基地局および移動局が共通に備えることにより、ＲＢグループ情報の通知を行う必要が無くなり、下りリンクのスループットを向上させることができる。【００９８】
（実施の形態４）
上記のように、基地局と移動局とが共通のテーブルを備えることで、ＲＢグループ情報の通知が不要となり、下りリンクのスループットを向上させることができる。しかしながら、ＲＢグループの組み替えがテーブルに設定されたパターンに固定されてしまうため、通信状況によっては適切な組み替えが行われない場合がある。【００９９】
そこで、本実施の形態では、異なる通信状況において効率よくマルチユーザダイバーシチ利得を得るために、通信状況に応じた複数のテーブルを基地局と移動局が共通に記憶し、それらのテーブルを通信状況に応じて適応的に切り替えて用いる。【０１００】
図１４は、本実施の形態に係る基地局５００の構成を示すブロック図である。以下の説明では、実施の形態１〜３と異なる点についてのみ説明する。【０１０１】
分離部１０３は、ＣＰ除去部１０２から出力された信号を参照信号とデータ・制御信号とに分離し、参照信号を受信品質測定部１０７へ、データ・制御信号を周波数領域等化部１０４へそれぞれ出力する。また、サブフレームによって各ＲＢグループに含まれるＲＢ数が異なるため、受信信号から参照信号を正しく分離するために、分離部１０３にＲＢグループ情報が入力される。【０１０２】
記憶部５０１は、ＲＢとＲＢグループとの対応関係と、この対応関係の時間の経過に伴う変化の順序とを示すテーブルを複数記憶する。これら複数のテーブルでは、対応関係および変化の順序の一方または双方が互いに異なる。なお、これら複数のテーブルは予め記憶されていてもよいし、基地局５００の外部からテーブルを追加・更新できるように構成されてもよい。【０１０３】
ＲＢグループ制御部１０８は、記憶部５０１に記憶されたテーブルに基づいて、グルーピング部１０９に対し、複数のＲＢと複数のＲＢグループとの対応関係を時間とともに変化させる制御を行う。このとき、ＲＢグループ制御部１０８には、ＱｏＳ情報、移動速度情報、距離情報、移動局数情報、各移動局のＣＱＩまたは平均ＣＱＩを示すＣＱＩ情報等が入力され、ＲＢグループ制御部１０８は、これらの情報に基づいて、使用するテーブルを切り替える。また、ＲＢグループ制御部１０８は、使用するテーブルを切り替えたことを各移動局に通知するために切替通知情報を生成し、符号化部１１１に出力する。【０１０４】
一方、本実施の形態に係る移動局（図示せず）にも、図５に示す構成要素に加え、基地局５００の記憶部５０１に記憶された複数のテーブルと同一の複数のテーブルを記憶する記憶部と、使用するテーブルの切り替えを制御する制御部とが備えられており、移動局は、基地局から通知される切替通知情報に従って、使用するテーブルを基地局５００で使用されるテーブルと同一のテーブルに切り替える。【０１０５】
なお、具体的な切り替え方法としては、例えば、記憶されている複数のテーブルにそれぞれ異なるテーブル番号を振っておき、基地局５００は切替通知情報としていずれかのテーブル番号を移動局へ通知し、移動局は通知されたテーブル番号を基に使用するテーブルを選択する方法等がある。【０１０６】
このように、本実施の形態によれば、上りリンクにおける周波数スケジューリングを通信状況に応じて適応的に行うことができ、テーブルを切り替えるときにのみ切替通知情報を移動局に通知すればよいため、下りリンクの情報通知量を減少することができる。【０１０７】
（実施の形態５）
通常、通信システム内には移動速度が異なる複数の移動局が混在している。このとき、移動速度が遅い移動局に関しては、フェージングの時間変動が緩やかである。このため、上りリンクのスループット向上の観点から、移動局は、移動速度を基に参照信号の送信間隔を決定するとともに、基地局が割り当てた参照信号の割当領域において“参照信号を送信する”か“データを送信する”かを移動局の判断により選択することが望ましい。【０１０８】
そこで、本実施の形態では、移動局が自局の移動速度を検出し、検出した移動速度に応じて参照信号と送信データの配置を適応的に変更する。【０１０９】
図１５は、本実施の形態に係る移動局６００の構成を示すブロック図である。以下の説明では、実施の形態１と異なる点についてのみ説明する。【０１１０】
移動速度検出部６０１は、自局の移動速度を検出し、移動速度情報を生成する。【０１１１】
送信対象決定部６０２は、移動速度情報とＲＢグループ情報とを用いて、参照信号の割当領域で“参照信号を送信する”か“データを送信する”かを決定する。送信対象決定部６０２は、“参照信号の送信”であれば参照信号配置部２０６に参照信号の配置を通知し、“データの送信”であればＲＢ特定部２０８に送信データの配置を通知する。【０１１２】
図１６に本実施の形態に係る通信システムの動作図を示す。ここでは、ＲＢ数を４つ（ＲＢ１〜ＲＢ４）とし、異なる移動速度を持つ４つの移動局Ａ〜Ｄが存在しているものとする。また、図１６において、Ａ〜Ｄの下線で示した部分は、受信品質の時間変動が少なく前回までのサブフレームで測定された受信品質と受信品質がほぼ等しい部分である。【０１１３】
移動局は検出した移動速度から受信品質の時間変動を予測でき、参照信号の送信間隔を判断できる。例えば、移動局Ｃは、自局の移動速度が低速であれば、３サブフレーム間は受信品質を更新する必要がなく、割り当てられたＲＢで参照信号を送信する必要はないと判断できる。移動局はこのような判断を基にして、基地局が割り当てた参照信号領域で“参照信号を送信する”か“データを送信する”かを決定する。【０１１４】
なお、基地局は受信信号が参照信号の配列でない場合は受信信号がデータであると判断してもよく、また、移動局からのデータ信号に参照信号かデータかを示すビットを付加して基地局での判断を行ってもよい。また、基地局は前サブフレームでのスケジューリング結果から、低速の移動局がどのＲＢで参照信号を送信するかを判断できるため、この判断に基づいて、送信される信号が送信データか参照信号かを判断してもよい。例えば、ある移動局の速度が低速で、移動局が３サブフレーム間では同一ＲＢでの参照信号の送信を省き、代わりに送信データをＲＢに配置する場合、基地局は、３サブフレーム以内に、その移動局がそのＲＢで送信した参照信号があるか否かを確認し、あった場合は、その参照信号の受信品質を再利用する。この場合、移動速度帯とそれに応じた参照信号の送信間隔とを予め設定しておき、各移動局は、移動速度の変化により送信間隔が変化したときにのみ、その旨を基地局に通知してもよい。【０１１５】
また、移動局は、移動速度の代わりに受信品質の時間変動を測定し、この測定値に基づいて“参照信号を送信する”か“データを送信する”かを決定するようにしてもよい。【０１１６】
このように、本実施の形態によれば、移動局が自局の移動速度に基づいて参照信号の送信間隔を変化させることで、不必要な参照信号をデータと入れ替えることができ、スループットを向上させることができる。【０１１７】
（実施の形態６）
通信システムの構築の仕方によっては、各移動局が使用する帯域幅が統一されておらず、１つの通信システム内に異なる帯域幅を有する複数の移動局が混在する場合がある。このような状況においては、ＲＢのグループ分けや、スケジューリングが複雑になる可能性がある。よって、このような状況では、帯域幅が小さい複数の移動局をまとめて１つの移動局として扱ってＲＢ帯域幅を揃えることが望ましい。【０１１８】
そこで、本実施の形態では、基地局のスケジューリング部１１０が、基準となるＲＢ帯域幅よりも狭いＲＢ帯域幅を使用する複数の移動局を１つにまとめ、ＲＢ帯域幅を揃えてスケジューリングを行う。【０１１９】
図１７に本実施の形態に係る通信システムの動作図を示す。ここでは、２.５MHzの帯域幅を使用して通信を行う移動局Ａと、１.２５MHzの帯域幅を使用して通信を行う移動局Ｃおよび移動局Ｄとが混在する場合を示している。また、ここでは、２.５MHzをスケジューリングの基準とし、移動局Ｃと移動局Ｄとを１セットにして２.５MHzとして扱う。つまり、基地局は、移動局Ａと、移動局Ｃ＋移動局ＤとをＲＢグループ（ＲＢグループ内のＲＢ数：２）として参照信号の送信領域を割り当て、各移動局に通知する。基地局は、この参照信号の受信品質を測定して移動局の送信データ領域を割り当てる。送信データ領域の割当パターンとしては、図１７の３種類の中から選択できる。【０１２０】
このように、本実施の形態によれば、異なる帯域幅を使用する複数の移動局が混在する場合に、基準より狭い帯域幅を使用する複数の移動局を１セットにして帯域幅を基準の帯域幅に揃えることにより、スケジューリングを効率的に行うことができる。【０１２１】
以上、本発明の実施の形態について説明した。【０１２２】
なお、上記実施の形態では複数のＲＢが存在するシングルキャリア伝送を想定して説明したが、本発明はこれに限定されるものではなく、各移動局は自局が割り当てられたＲＢに参照信号をＦＤＭ配置またはマルチキャリア配置して送信してもよい。【０１２３】
また、上記実施の形態では１サブフレーム内の複数時刻、例えば図７では時刻Ｔｎ,Ｔｎ＋１で参照信号を送信する場合を示したが、本発明はこれに限定されない。例えば、第１サブフレーム内の１つの時刻で参照信号を送信し、第１サブフレームに続く第２サブフレーム内の１つの時刻で参照信号を送信してもよい。すなわち、複数のサブフレームに渡る複数のＲＢを１ＲＢグループとし、ＲＢグループを構成するＲＢの組み合わせを時間の経過に伴って変化させてもよい。このように、複数のサブフレームに渡って複数時刻で参照信号を送信してもよい。【０１２４】
また、上記のように複数のサブフレームに渡って複数時刻で参照信号を送信する場合には、第１サブフレームのデータを受信品質が高いＲＢ、すなわち、受信品質１＜受信品質２である場合の受信品質２のＲＢに割り当て、第２サブフレームのデータを受信品質が低いＲＢ、すなわち、受信品質１＜受信品質２である場合の受信品質１のＲＢに割り当ててもよい。また、各サブフレームにおいて参照信号とデータとを同一のＲＢで送信してもよい。また、複数のサブフレームにおいて、ＲＢグループに含まれる複数ＲＢで参照信号を送信し、ＲＢグループに含まれる複数のＲＢのうちいずれか１つのＲＢでデータを送信してもよい。【０１２５】
また、上記実施の形態における複数のサブフレームは、連続していてもよく、また、不連続であってもよい。【０１２６】
また、ＲＢグループ内において複数の移動局各々にＲＢを割り当てるスケジューリングでは、複数の移動局すべての受信品質が高くなるようにＲＢを割り当ててもよいし、また、複数の移動局のうち特定の１つの移動局の受信品質に基づいてＲＢを割り当ててもよい。例えば、ＲＢグループ内で、優先度が高い移動局の受信品質に基づいて、優先度が低い他の移動局も含めた複数の移動局に対するＲＢ割当を行ってもよい。【０１２７】
また、受信品質はＳＩＮＲに限るものではなく、ＳＩＲ、ＳＮＲ、ＣＩＲ、ＣＮＲ、ＣＩＮＲ、ＲＳＳＩ、受信強度、受信電力、干渉電力、誤り率、伝送レート、スループット、干渉量、または、所定の誤り率を達成できるＭＣＳ等を受信品質として用いてもよい。また、ＣＱＩを受信品質として用いてもよい。【０１２８】
また、上記実施の形態における基地局はNode B、移動局はUEと表されることがある。【０１２９】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１３０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１３１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１３２】
２００６年３月３１日出願の特願２００６−０９９９１４の日本出願に含まれる明細書、図面および要約書の開示内容は、すべて本願に援用される。
【産業上の利用可能性】
【０１３３】
本発明は、移動体通信システム等の用途に適用することができる。
【図１】
2007119591.tif 000003
【図２】
2007119591.tif 000004
【図３】
2007119591.tif 000005
【図４】
2007119591.tif 000006
【図５】
2007119591.tif 000007
【図６】
2007119591.tif 000008
【図７】
2007119591.tif 000009
【図８】
2007119591.tif 000010
【図９】
2007119591.tif 000011
【図１０】
2007119591.tif 000012
【図１１】
2007119591.tif 000013
【図１２】
2007119591.tif 000014
【図１３】
2007119591.tif 000015
【図１４】
2007119591.tif 000016
【図１５】
2007119591.tif 000017
【図１６】
2007119591.tif 000018
【図１７】
2007119591.tif 000019
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
複数のリソースブロックを複数のグループに分けるグルーピング手段と、
複数の無線通信移動局装置の各々を前記複数のリソースブロックの各々に割り当てるスケジューリングを各グループ内において行うスケジューリング手段と、
スケジューリング結果の通知を前記複数の無線通信移動局装置へ送信する送信手段と、
を具備する無線通信基地局装置。
【請求項２】
前記複数のリソースブロックと前記複数のグループとの対応関係を時間の経過とともに変化させる制御手段、をさらに具備する、
請求項１記載の無線通信基地局装置。
【請求項３】
前記制御手段は、前記対応関係を周期的に変化させる、
請求項２記載の無線通信基地局装置。
【請求項４】
前記送信手段は、前記対応関係の通知を前記複数の無線通信移動局装置へ送信する、
請求項２記載の無線通信基地局装置。
【請求項５】
前記制御手段は、前記複数のグループの各々に含まれるリソースブロックの数を時間の経過とともに変化させる、
請求項２記載の無線通信基地局装置。
【請求項６】
前記制御手段は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに基づいて前記リソースブロックの数を変化させる、
請求項５記載の無線通信基地局装置。
【請求項７】
前記対応関係と、この対応関係の時間の経過に伴う変化の順序とを示すテーブルを記憶する記憶手段、をさらに備え、
前記制御手段は、前記テーブルに基づいて、前記対応関係を時間の経過とともに変化させる、
請求項２記載の無線通信基地局装置。
【請求項８】
前記テーブルにおける前記対応関係は、隣り合うリソースブロックが連続して同一のグループにならないように変化する、
請求項７記載の無線通信基地局装置。
【請求項９】
前記記憶手段は、前記変化の順序が互いに異なる複数の前記テーブルを記憶し、
前記制御手段は、複数の前記テーブルにおいて使用するテーブルを切り替え、
前記送信手段は、テーブルの切り替えの通知を前記複数の無線通信移動局装置に送信する、
請求項７記載の無線通信基地局装置。
【請求項１０】
前記制御手段は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに基づいて前記切り替えを行う、
請求項９記載の無線通信基地局装置。
【請求項１１】
前記スケジューリング手段は、前記複数のグループの各々において、前記参照信号のＳＩＮＲの加算結果が最大となるスケジューリングを行う、
請求項１記載の無線通信基地局装置。
【請求項１２】
前記スケジューリング手段は、前記無線通信移動局装置に設定された優先度に従った重み付けを前記ＳＩＮＲに施す、
請求項１１記載の無線通信基地局装置。
【請求項１３】
前記優先度は、送信データのＱｏＳ、前記無線通信移動局装置の移動速度、自局から前記無線通信移動局装置までの距離、通信システム内に存在する前記無線通信移動局装置の数、前記無線通信移動局装置のＣＱＩ、または、平均ＣＱＩのいずれかに応じて設定される、
請求項１２記載の無線通信基地局装置。
【請求項１４】
前記スケジューリング手段は、基準となるリソースブロック帯域よりも狭いリソースブロック帯域を使用する複数の無線通信移動局装置を１つにまとめ、リソースブロック帯域幅を揃えてスケジューリングを行う、
請求項１記載の無線通信基地局装置。
【請求項１５】
前記送信手段は、各グループの配列番号を前記スケジューリング結果の通知として送信する、
請求項１記載の無線通信基地局装置。
【請求項１６】
請求項１記載の無線通信基地局装置から前記スケジューリング結果の通知を受信する受信手段と、
前記複数のグループのうち自局が属するグループのリソースブロックを用いて前記参照信号を前記無線通信基地局装置へ送信する送信手段と、
を具備する無線通信移動局装置。
【請求項１７】
前記受信手段は、前記複数のリソースブロックと前記複数のグループとの対応関係の通知を受信し、
この通知に基づいて自局が属するグループに含まれるリソースブロックを特定する特定手段、をさらに具備し、
前記送信手段は、特定されたリソースブロックを用いて前記参照信号を送信する、
請求項１６記載の無線通信移動局装置。
【請求項１８】
前記複数のリソースブロックと前記複数のグループとの対応関係と、この対応関係の時間の経過に伴う変化の順序とを示すテーブルを記憶する記憶手段、をさらに備え、
前記特定手段は、前記テーブルに基づいて自局が属するグループのリソースブロックを特定する、
請求項１６記載の無線通信移動局装置。
【請求項１９】
前記記憶手段は、前記変化の順序が互いに異なる複数の前記テーブルを記憶し、
前記受信手段は、前記無線通信移動局装置より送信される前記テーブルの切り替えの通知を受信し、
この切り替えの通知に基づいて複数の前記テーブルにおいて使用するテーブルを切り替える制御手段、をさらに具備する、
請求項１８記載の無線通信移動局装置。
【請求項２０】
自局の移動速度を検出する検出手段と、
前記移動速度に基づいて参照信号送信またはデータ送信のいずれを行うかを決定する決定手段と、をさらに具備する、
請求項１６記載の無線通信移動局装置。
【請求項２１】
前記参照信号は、ＦＤＭ配置又はマルチキャリア配置される、
請求項１６記載の無線通信移動局装置。
【請求項２２】
前記スケジューリング手段は、前記複数の無線通信移動局装置から送信された参照信号の受信品質に基づいて前記スケジューリングを行う、
請求項１記載の無線通信基地局装置。
【請求項２３】
前記送信手段は、さらに、前記スケジューリング結果に従ったリソースブロックを用いてデータを前記無線通信基地局装置へ送信する、
請求項１６記載の線通信移動局装置。
【国際調査報告】
2007119591.tif 000020
2007119591.tif 000021
2007119591.tif 000022